(57)【要約】【課題】  乳幼児を、シート体の上に斜めに寝かせた状態でバウンシング機能を発揮し、かつ、その保持姿勢を変化させることができるリクライニング機能を備えた乳幼児用シートを提供すること。【解決手段】  設置面から所定角度で斜めに傾斜して配置され、略平行な部分３２，３２を有する背もたれフレーム３１と、前記背もたれフレームに配置されるシート体と、少なくとも一部が設置面に当接する水平ロッド２６と、水平ロッドと一体もしくは別体に設けられ、前記背もたれフレームの前記各平行部分と接続手段３６を介して接続されるとともに、前記背もたれフレームを弾性的に支持するバウンス部４１とを有しており、前記接続手段に対して、前記背もたれフレームを着脱させることにより、前記背もたれフレームの前記傾斜の角度をＰ１の位置とＰ２の位置に変更する構成とした。【選択図】        図２
2005102992.tif 000002
【特許請求の範囲】
【請求項１】
設置面から所定角度で斜めに傾斜して配置され、略平行な部分を有する背もたれフレームと、
前記背もたれフレームに配置されるシート体と、
少なくとも一部が前記設置面に当接する水平ロッドと、
この水平ロッドと一体もしくは別体に設けられ、前記背もたれフレームの前記各平行部分と接続手段を介して接続されるとともに、前記背もたれフレームを弾性的に支持するバウンス部と
を有しており、前記接続手段に対して、前記背もたれフレームを着脱させることにより、前記背もたれフレームの前記傾斜の角度を変更する構成とした
ことを特徴とする乳幼児用シート。
【請求項２】
前記背もたれフレームの前記平行部の下端付近が曲折された曲折部とされており、前記背もたれフレームの前記曲折部の曲折方向を変更して装着することによって、前記背もたれフレームの前記傾斜の角度を変更する構成とされていることを特徴とする請求項１に記載の乳幼児用シート。
【請求項３】
前記接続手段が、前記バウンス部側のフレーム端部と前記背もたれフレーム側のフレーム端部とを受容して機械的に接続するコネクタを有しており、このコネクタが、前記バウンス部側のフレーム端部と前記背もたれフレーム側のフレーム端部とを受容する各受容部に関して、いずれかの受容部が複数設けられており、この複数設けられた受容部が互いに異なる角度となるように形成されていることを特徴とする請求項１に記載の乳幼児用シート。
【発明の詳細な説明】
【技術分野】
【０００１】
この発明は、生後０ないし９か月程度で、特に、自ら立ち上がることや、座ることができない乳幼児を、シート体の上に寝かせた状態で安全に保持できる乳幼児用シートに関するものである。
【背景技術】
【０００２】
従来の乳幼児用シートでは、寝かせた乳幼児を支持する角度を変更するためのリクライニング機能を備えたものが種々知られている（例えば、特許文献１参照）。これに対して、乳幼児を寝かせた状態で保持しながら、その動きに対応して、上下方向への揺れを発現させるバウンシングの機能を備える、簡易的な構成による乳幼児用のシートも種々提案されている。例えば、本出願人が先に提案したものとして、特開２００３−１０２５９７は、パイプフレームで形成した骨組みにシート本体を配置して、骨組みが変形するようにして、所謂バウンスさせるような乳幼児用シートも知られている。
【０００３】
【特許文献１】特開平８−１６８４２２
【特許文献２】特開２００３−１０２５９７
【発明の開示】
【発明が解決しようとする課題】
【０００４】
ところが、例えば特許文献１の乳幼児用シートでは、複雑な構成となることに伴い、重量が重くなるためタイヤを設けなければならないなど取り扱いが容易でなく、比較的高価とならざるをえない。また、特許文献２の乳幼児用シートでは、細いパイプを曲折して簡易的に形成することで、軽量でコンパクトな特徴を有するものの、そのような簡易的な構成の中で、寝かせた状態で保持した乳幼児の保持姿勢を簡単に変更できるリクライニング機能を併せ持つものは存在していない。
【０００５】
この発明は、上記課題を解決するためになされたものであり、乳幼児を、シート体の上に斜めに寝かせた状態でバウンシング機能を発揮し、かつ、その保持姿勢を発達段階に応じて変化させることができるリクライニング機能を備えた乳幼児用シートを提供することを目的とする。
【課題を解決するための手段】
【０００６】
上記目的は、請求項１の発明にあっては、設置面から所定角度で斜めに傾斜して配置され、略平行な部分を有する背もたれフレームと、前記背もたれフレームに配置されるシート体と、少なくとも一部が前記設置面に当接する水平ロッドと、この水平ロッドと一体もしくは別体に設けられ、前記背もたれフレームの前記各平行部分と接続手段を介して接続されるとともに、前記背もたれフレームを弾性的に支持するバウンス部とを有しており、前記接続手段に対して、前記背もたれフレームを着脱させることにより、前記背もたれフレームの前記傾斜の角度を変更する構成とした乳幼児用シートにより、達成される。
【０００７】
請求項１の構成によれば、前記水平ロッドと前記背もたれフレームとの間には前記バウンス部が配置されているので、設置面に載置された水平ロッドが動かない状態で、背もたれフレームがバウンス機能を発揮する。つまり、背もたれフレームに配置されるシート体に寝た状態で保持される乳幼児は、背もたれフレームとともに弾性的に保持されている。この状態で、乳幼児が身体を動かすと、バウンス部の機能および背もたれフレームや水平ロッドが変形するので、上下方向への複雑な揺動を主要素とするバウンス機能が繰り返して発揮される。
そして、背もたれフレームの前記傾斜は、水平ロッドから背もたれフレームに至る間でフレームの対応箇所で角度が生じることで形成されるので、この角度が変更されると、シート体に寝かされる乳幼児の姿勢を変化され、所謂リクライニング機能を得ることができる。この発明では、背もたれフレームの下端付近や、これが接続される接続手段に、所定の角度が存在する場合に、この取り外された背もたれフレームを接続手段に装着するに当たって、前記接続手段に対する接続の仕方、すなわち、接続の向きや方向を選択的に変化させることで、前記角度を変更させ、乳幼児の寝た姿勢における傾斜角度を変更することができる。
【０００８】
請求項２の発明は、請求項１の構成において、前記背もたれフレームの前記平行部の下端付近が曲折された曲折部とされており、前記背もたれフレームの前記曲折部の曲折方向を変更して装着することによって、前記背もたれフレームの前記傾斜の角度を変更する構成とされていることを特徴とする。
請求項２の構成によれば、前記背もたれフレームの前記平行部の下端付近が曲折されていれば、前記接続手段側が特別の構造を有していなくても、背もたれフレーム装着時において、背もたれフレームの曲折方向を選択し、その接続の向きや方向を変えることで、背もたれフレームの傾斜角度を変化させることができる。
【０００９】
請求項３の発明は、請求項１の構成において、前記接続手段が、前記バウンス部側のフレーム端部と前記背もたれフレーム側のフレーム端部とを受容して機械的に接続するコネクタを有しており、このコネクタが、前記バウンス部側のフレーム端部と前記背もたれフレーム側のフレーム端部とを受容する各受容部に関して、いずれかの受容部が複数設けられており、この複数設けられた受容部が互いに異なる角度となるように形成されている乳幼児用シートにより、達成される。
【００１０】
請求項３の構成によれば、前記コネクタには、前記背もたれフレーム側のフレーム端部を受容する受容部が複数形成されていたり、あるいは、バウンス部側のフレーム端部を受容する受容部が複数形成されている。そして、これら複数の受容部は、ひとつの受容部と、それ以外の受容部とが異なる角度とされていることで、挿入受容されるフレーム端部の角度が変わるため、当該フレームの延びる方向を変化させることができる。
【発明の効果】
【００１１】
以上述べたように、本発明にあっては、乳幼児を、シート体の上に斜めに寝かせた状態でバウンシング機能を発揮し、かつ、その保持姿勢を変化させることができるリクライニング機能を備えた乳幼児用シートを提供することができる。
【発明を実施するための最良の形態】
【００１２】
以下、この発明の好適な実施形態を添付図面を参照しながら、詳細に説明する。
尚、以下に述べる実施形態は、本発明の好適な具体例であるから、技術的に好ましい種々の限定が付されているが、本発明の範囲は、以下の説明において特に本発明を限定する旨の記載がない限り、これらの態様に限られるものではない。
【００１３】
図１は、本発明の実施形態に係る乳幼児用シート（以下、「シート」と言う）２０の全体を示す概略斜視図である。
図において、シート２０は、フレーム体２１に装着されることにより所定の形状に支持された、例えば布製のシート体４０を備えており、シート体４０の上面には、乳幼児の下半身（図示せず）の、特に、股から腰にかけての箇所を保持するのに適合した保持部５０が設けられている。
【００１４】
保持部５０は、股部５１を備えて、股部５１の両側には、乳幼児の両足を挿通するための貫通孔５２，５２が形成されており、股部５１の上端は、左右方向に延長されて、後述する手段によりシート体４０の両側面付近にそれぞれ接続されていて、これにより、保持部５０は、全体として、パンツの一部のような形態により、シート体４０との間で乳幼児の下半身を保持するようになっており、乳幼児が下方にずり下がることを防いでいる。
シート２０には、シート体４０の上部を覆うようにして、フレームで支持された幌６０が、着脱されるようになっている。
また、図示されていないが、シート体４０の上面側に配置される玩具などが着脱可能に配置されていてもよい。
【００１５】
図２は、図１のシート２０のシート体４０を外したフレーム体２１の概略分解斜視図であり、シート２０が自立するように組み立てた状態を示している。
図において、フレーム体２１は、並列的に配置された接続手段３６の一部としての一対のコネクタ２２，２２と、設置面から所定角度で斜めに上方に傾斜して起立し、コネクタ２２，２２に支持されている起立ロッド２５，２５及び、各起立ロッド２５，２５の先端から後方に延長され、床等の設置面（図示せず）と当接される水平ロッド２６，２６を備える一対の脚部フレーム２７，２７を備えている。
【００１６】
さらに、各コネクタ２２，２２には、比較的短い中間ロッド２８，２８が固定されており、この中間ロッド２８，２８の一部として、コネクタ２２，２２から、前方に向かって斜め下方に突出する基端部２８ａ，２８ａと、これら基端部２８ａ，２８ａに対して、後述する構成により、軸回りに回動可能に取り付けられるループ状に閉じられた先端部２８ｃとにより、足受けフレーム３０が構成されている。
そして、足受けフレーム３０の各基端部２８ａ，２８ａは、各コネクタ２２，２２を貫通して上方にそれぞれ延びて、各コネクタ２２，２２から露出した部分２８ｂ，２８ｂを備えている。
【００１７】
各中間ロッド２８，２８の各コネクタ２２，２２から上方に露出した上端部分２８ｂ，２８ｂには、上端がループ状に閉じた形状とされた背もたれフレーム３１の下部である平行部３２，３２の各下端３２ａ，３２ａが取り付けられるようになっている。
【００１８】
各脚部フレーム２７，２７の起立ロッド２５，２５は、後述する水平ロッド２６，２６から上方に起立する部分であり、直立させてもよいが、この本実施形態では、図示されているように、前方へ向かって下向きの傾斜を備えて起立しており、かつ好ましくは、各コネクタ２２，２２から下方へ延出された箇所は、矢印Ｃ，Ｃに示すように、さらに外側に拡がるような傾斜を備えている。
これに対して、足受けフレーム３０の各基端部２８ａ，２８ａは、先端（下端）付近が、矢印Ｄ，Ｄで示すように、上向きに傾斜して水平に近い状態とされている。つまり、図において、中間ロッド２８及び背もたれフレーム３１の有する傾斜や脚部フレーム２７，２７の有する前方への傾斜と比べて、上を向く傾斜を有しており、これにより、足受けフレーム３０の先端部２８ｃは、上方にややせりあがって、乳幼児の身体を保持しやすいようになっている。
【００１９】
各脚部フレーム２７，２７の有する水平ロッド２６，２６は、その端部が後方に位置するように延びており、これらの各先端には、連結用のコーナ部材３４，３５が固定されている。各コーナ部材３４，３５の間には、連結ロッド３３が一端部を着脱可能にして固定されるようになっている。
ここで、例えば、脚部フレーム２７や各基端部２８は、後述するように変形を許容しつつ一定の強度を確保するために、例えば、直径８ｍｍ程度の中実としたなステンレスや軟鉄による好ましくは丸棒状の部材で形成されている。また、背もたれフレーム３１や足受けフレーム３０は、軽量化や各基端部２８との接合性を考慮して、例えば、中空なステンレスや軟鉄によるパイプで形成されている。
さらに、脚部フレーム２７の水平ロッド２６，２６と傾斜フレームである起立ロッド２５，２５は、上述したように、中実としたステンレスや軟鉄による丸棒状の部材で形成され、ある程度の弾性を備えている。この実施形態では、特に、水平ロッド２６，２６と起立ロッド２５，２５との間に、図示するようなＲ状の曲折個所を設けて、バウンス部４１，４１としている。バウンス部４１，４１は、設置面に平行な水平ロッド２６，２６から所定の傾斜角で延びる起立ロッド２５，２５およびコネクタ２２，２２を介して、背もたれフレーム３１の平行部３２，３２を弾性的に支持している。
つまり、本実施形態におけるバウンス部４１，４１は、水平ロッド２６，２６の前側から起立ロッド２５，２５にかけて曲折された部分がバウンス部とされている。
【００２０】
このようなけ傾斜角度と脚部フレーム２７の弾性および剛性により、乳幼児が身体を動かした際に、傾斜角度が変化することで、上下方向に揺動することにより、所謂バウンス（バウンシング）機能を発揮し、あたかも大人に抱き上げられた時の動きや感覚を使用者である乳幼児に与えることができる。また、このようなバウンシングは、バウンス部４１，４１の働きだけではなく、バウンス部４１，４１の変形もしくは撓みに対応して、それに接続された各フレームの変形により可能となる。
【００２１】
また、この実施形態では、図２に示されているように、背もたれフレーム３１は、鎖線で示された第１の傾斜位置Ｐ１に対応した傾斜角度と、実線で示された第２の傾斜位置Ｐ２に対応した傾斜角度とに変更することができるリクライニング機能を有している。
すなわち、背もたれフレーム３１が実線で示すＰ２のように大きく傾斜している状態にあっては、乳幼児は水平に寝た姿勢により近い角度で保持され、鎖線のＰ２のように立ち上がるよう傾斜角度が変更されると、乳幼児は起立状態により近い状態に保持される。Ｐ２における傾斜角度は、月齢の低い乳幼児で首が据わる状態となる前における３〜４ヶ月程度の乳幼児の使用に適しており、特に就寝時などの寝ている場合に適している。Ｐ１における傾斜角度は、月齢がより進んで、首が据わり動きが活発になってきた乳幼児で、乳幼児が起きている状態で保持する場合に適している。このような機能を実現する構成については、後で詳しく説明する。
【００２２】
図３は、接続手段３６の一部であるコネクタ２２により、中間ロッド２８と、脚部フレーム２７の起立ロッド２５を支持する構造を示す概略断面図である。
ここで接続手段３６は、脚部フレーム２７などの下部構造と、背もたれフレーム３１などの上部構造を接続するものであり、この実施形態では、接続手段３６の一部であるコネクタ２２が脚部フレームの起立ロッド２５と中間ロッド２８を結合し、この中間ロッド２８の端部が、それぞれ足受けフレーム３０と、背もたれフレーム３１とにそれぞれ別の接続部３７等を介して接続される構成としている。
したがって、このような構成に限らず、接続手段は、コネクタだけで構成してもよく、中間ロッドを使用しない構成としてもよい。
【００２３】
本実施形態では、コネクタ２２は、図２で示すように、並列的に配置されて、左右に一対設けられ、同じ構造であるから、一方だけを説明する。
図３において、コネクタ２２の右側が、図２の下側であり、左側が上側に位置する。コネクタ２２は、例えば、合成樹脂等で成形筒状の成形体である本体４２を有し、本体４２は、一端に内部空間２４を有する膨出部２３を有している。
【００２４】
コネクタ２２内には、長手方向に沿って中間ロッド２８が貫通しており、この中間ロッド２８は、コネクタ２２に対して固定されている。また、コネクタ２２内には、中間ロッド２８と並列的に、起立ロッド２５の上端部が収容されており、起立ロッド２５は、コネクタ２２に対して、矢印Ｆで示すようにその軸回りに回動できるように支持されている。
また、起立ロッド２５の端部には、軸方向と直交する方向にストッパピン２５ａが設けられており、このストッパピン２５ａは、起立ロッド２５の矢印Ｆ方向の回動に従って内部空間２４内を移動し、中間ロッド２８と当接することで、回り止めがされるようになっている。これにより、起立ロッド２５は、組み立て時において、それ以上、開く方向に回ることが阻止され、確実に形状を保持しつつ、剛性を保つことができる。
【００２５】
コネクタ２２から露出した中間ロッド２８の足受けフレームの基端部２８ａを構成する箇所は、符号２８ｄの箇所で曲折されて、既に説明したように、矢印Ｄの方向に傾斜している。この曲折部２８ｄよりも先端側は、基端部２８ａの外径よりも大きな内径を備えた足受けフレーム３０の先端部２８ｃの中に入り込んでいる。ここは、中間ロッド２８と足受けフレームとの接続部もしくは接合部である。すなわち、中間ロッド２８の基端部２８ａの外周には、周方向に溝が形成されており、先端部２８ｃの内径には、凸条もしくは突起２８ｅが形成されて、基端部２８ａ外周の溝内に入り込んでいる。このように、曲折部２８ｄよりも先端側で回動可能に足受けフレーム３０が接合されることで、幅方向に関して、相対的な位置変化を小さくとどめることができ、完全に折り畳んだ時に、よりコンパクトにすることができる。
これにより、中間ロッド２８は、コネクタ２２に対して、軸方向に回動しないが、足受けフレーム３０の先端部２８ｃは、コネクタ２２に対して、矢印Ｇに沿った軸方向に回動できるようになっている。
尚、このような構造においては、基端部２８ａの外周にピンまたは凸条を、先端部２８ｃの内周に周方向に沿った溝を形成して、かみ合わせもよいことは勿論である。
【００２６】
一方、図４には、中間ロッド２８の上端２８ｂと背もたれフレーム３１との接続部３７が拡大して示されている。背もたれフレームの平行部の下端３２ａは、それより上の部分に対して、曲折部３１ａにおいてθ１の角度で曲折されている。中間ロッド２８のコネクタ２２から露出した上端２８ｂは、例えば、外周から外方へ延びるピン２８ｆを上下に有しており、背もたれフレームの平行部３２の下端３２ａには、ピン２８ｆを受容するように、長手方向に延びるスリット３２ｂが上下に開口している。これにより、上端２８ｂのピン２８ｆを背もたれフレームの下端３２ａのスリット３２ｂに位置するように挿入することにより、背もたれフレームが中間ロッド２８に対して捻れる事を防ぎつつ、着脱自在に取り付けられている。
これにより、中間ロッド２８の上端２８ｂと、背もたれフレームの下端３２ａが接続されている状態においては、足受けフレーム３０と中間ロッド２８の下端である基端部２８ａの回動が、背もたれフレームとの接続により阻止されるようになっており、フレーム体２１を分解して折り畳む際には、中間ロッド２８の上端２８ｂと、背もたれフレームの下端３２ａとの接続を解除してから行うようになっている。
【００２７】
また、図４および図５を参照して理解されるように、中間ロッド２８の上端２８ｂに対して、背もたれフレーム側である平行部３２の下端３２ａを取り外し、背もたれフレーム３１の上下面を図２に示す矢印Ｊの方向に反転させて、すなわち、上端２８ｂに対して、下端３２ａを左右反転させて取り付けることで、図５において、平行部３２−１の状態から平行部３２−２の状態として、図４のピン２８ｆをスリット３２ｂの上下を反転させて挿入し直すことにより、角度θ１の向きが変化される。これにより、図２および図６において、背もたれフレーム３１の傾斜角度が、第１の傾斜位置Ｐ１と、第２の傾斜位置Ｐ２に切り替えられる。かくして、この実施形態では、接続手段３６の一部である接続部３７に関して、中間ロッド２８に対して、背もたれフレーム３１側を、着脱して上記反転させて装着することで、図６に示す背もたれフレーム３１の設置面に対する傾斜角度θ２が変更される所謂リクライニング機能を発揮することができる。なお、曲折部３１ａの角度θ１は１５０度〜１７０度の範囲とされている。また、起立状態Ｐ１とした際の接地面との傾斜角度θ２は１３５度〜１４５度の範囲とされて、水平状態Ｐ２とした際の接地面との傾斜角度θ２は１５５度〜１６５度の範囲の傾斜面とされている。
【００２８】
コネクタ２２によるフレーム支持構造は以上のようになっており、次に、フレーム体２１の折り畳み手順を説明する。
先ず、図２のフレーム体２１において、背もたれ３１は、図４の構造に基づいて取り外しがされ、連結ロッド３３の片方の端部もコーナ部材３５から所定の方法により外される。
【００２９】
図７は、この段階におけるフレーム体２１の右側面を側方から見た図であり、足受けフレーム３０の基端部２８ａの曲折部２８ｄの傾斜角度を示す矢印Ｄは、やや上方を向くことで、足受けフレーム３０がせりあがった位置とされている。この図では、足受けフレーム３０には、スポンジ等の柔軟体もしくは弾性体によるカバー３０ａ（後述）が装着されている。
【００３０】
次に、図８に示すように、起立ロッド２５の図３で説明した軸回りの回動機能に基づいて、コネクタ２２を、その仮想の中心軸Ｃの周囲で、矢印Ｉ方向に回動させると、起立ロッド２５は中間ロッド２８よりも内側に変位しつつ、水平ロッド２６を矢印方向へ移動させ、その先端が斜めに内方へ向かうようにする。これにより、起立ロッド２５の有している傾斜角度（図２の起立ロッド２５の前方先端の角度）は、徐々に水平方向に倒されることで、床面に対する高さ方向の大きさが小さくなっていき、矢印Ｉ方向に、約１５０度程度回動した時に、ほとんどゼロとなる。この状態では、足受けフレーム３０の傾斜角度は、まだほとんど変化していない。
【００３１】
この状態から続く図９において、起立ロッド２５の図３で説明した軸回りの回動機能に基づいて、コネクタ２２を、その仮想の中心軸Ｃの周囲で、図８とは反対の矢印Ｊ方向へ回動させ、図７で説明した先端部２８ａの矢印Ｄの上向きの角度を回動させると、下向きとすることができる。この時、先端部２８ｃは基端部２８ａに対して、図３で説明するように、軸回りに回動して、足受けフレーム３０にねじり方向の力が働かないようにすることができる。これと同時に、起立ロッド２５は、傾斜の向きを水平方向に沿わせた状態で、つまり、高さ方向に小さな状態を維持しながら、再び、中間ロッド２８より外側に位置することになる。この状態では、水平ロッド２６は、先端部が斜めに対角線方向に向かう。
【００３２】
かくして、図１０に示すように、フレーム体２１は折り畳まれる。この場合、脚部フレーム２７を構成する起立ロッド２５は、その傾斜方向を水平にされることで、高さ方向の大きさがほぼゼロとされる。また、足受けフレーム３０もその基端部２８ａの上向きの傾斜角度Ｄが、その傾斜方向を内向きとされることにより、先端部２８ｃを含む足受けフレーム３０を水平ロッド２６とほぼ同じ平面上に位置させることができる。これにより、折り畳み後のフレーム体２１は、分解された形態で、高さ方向にきわめて小さく折り畳まれているので、収納に場所をとらず、コンパクトとなるとともに、持ち運び、携帯の際にも、小さくされたことにより取扱いがきわめて容易となる。また、この状態では、フレーム体２１は、完全に分解されないので、使用者がばらばらになった個々の部品を組み立てるために誤って組み立ててしまい、組み立て構造が不適切となった状態で使用することで事故が起こることが防止できると共に、また、この状態からの組み立てにおいても作業が容易となる。
尚、図１０において、符号３０ａで示すのは、パイプ状の柔軟な材料で形成された足受けフレーム３０のカバーである。カバー３０ａは足受けフレーム３０の形状にそって、その周囲を覆うことができる形態とされている。このため、比較的身体が大きい乳幼児が使用した場合でも、足を大きく動かした時に、足が足受けフレーム３０に当たった時の衝撃を吸収できると共に、シート体４０をフレーム体２１にかぶせる際に、適切な張りを持たせることができる。
【００３３】
図１１及び図１２は、フレーム体２１を覆うシート体４０が示されており、図１１はシート体４０の概略正面図、図１２はシート体４０の概略背面図である。
図１１において、シート体４０は本体７１が布製品，例えば、柔軟で、通気性に優れ、肌触りが良く、洗濯が容易な布素材等により、フレーム体２１の脚部フレーム２７を除く外形に沿う形状とされた袋状の部材として構成されている。
【００３４】
シート体４０は、図１２に示されているように、袋状の本体７１の下部に、本体７１を横断する第１の切り込み７３と、切り込み７３より下部において、縦方向の中心に沿った第２の切り込み７２を設けており、各切り込みに沿って、所定のスナップ等の係止手段を形成している。
これにより、スナップ等の係止手段を外して、第１及び第２の切り込み７３，７２を利用して、フレーム体２１に着脱されるようになっている。
【００３５】
図１１に示すように、シート体４０の表面の中央付近には、保持部５０が設けられている。
保持部５０は、乳幼児の身体の少なくとも下半身部分を保持するためのものである。この保持部５０は、乳幼児の身体の両足を通過させる２つの貫通孔５２，５２の間を形成する股当て部５１と、この股当て部５１の上端付近５３を左右方向に関して支持すると共に、この支持状態を左右方向の少なくとも一方、この実施形態では、両端部で固定解除する２つの着脱ベルト５５，５５が設けられている。
【００３６】
着脱ベルト５５，５５は、図１２に示されているように、シート体４０の本体７１において、上述した股当て部５１の上端付近５３に対応した位置で、本体７１を横方向を横切るように配置された一本のベルトで、例えば、一定の強度を有する布製である。着脱ベルト５５，５５は、図１２に示すように、本体７１の背面において、背面の両端よりも、やや内側の位置，例えば５ｃｍ程度内側の位置に縫着等の手段により固定箇所５６，５６が設けられている。この固定箇所５６，５６よりも先端側は、フリーとされていて、各先端には、クリップの雄部材等の係止手段７４，７４がそれぞれ取り付けられており、各係止手段７４，７４は、それぞれ、図１１の保持部５０の股当て部５１の上端付近５３の両側端部に設けたクリップの雌部材等の被係止手段５４，５４と着脱されるようになっている。
【００３７】
このように保持部５０は、その被係止手段５４，５４に着脱ベルト５５，５５の各係止手段７４，７４が係止されることにより、全体として、パンツの一部のような形態となり、乳幼児の下半身を保持するようになっている。そして、一方の着脱ベルト５５を外すと、保持部５０は開いて、乳幼児が保持部５０から容易に開放されるようになっている。
【００３８】
さらに、シート体４０には、図１２に示すように、背もたれフレーム３１に支持された領域の中央付近である本体７１の背面に、袋状の収容部５７が形成され、収容部５７の上端には、幅方向全体に開く開口部５７ａが設けられている。これにより、収容部５７はポケット状の収容部となっている。この収容部には、所定の硬度を持った板状の背当て部材５８が、収容されるようになっている。
【００３９】
そして、この背当て部材５８は、例えば、図１３に示すように、ポケット状の収容部５７の開口部５７ａから挿入したり、引き出したりできるようになっている。これにより、収容部５７に背当て部材５８を収容した状態においては、シート体４０の上に載せられる乳幼児に対して、一定の硬さに基づく心地よい使用感を与える。また、その背中に汗をかきやすい乳幼児にとって、特に通気性が配慮されているため、汗が乾きやすく、むれないという利点がある。
なお、この収容部５７に、寒い環境下においてはカイロや湯たんぽなどの発熱体を、暑い環境下においてはゲルなどを使用した冷却体を挿入して使用しても良い。
【００４０】
図１３は、シート２０のフレーム体２１を折り畳んだ状態を示している。
図１３の例では、コーナ部材３５に固定されている脚部フレームの水平ロッド２６を、一方の着脱ベルト５５で仮止めし、コーナ部材３４に固定されている脚部フレームの水平ロッド２６及び連結ロッド３３を束ねて、他方の着脱ベルト５５で仮止めしている。すなわち、上述したように、着脱ベルト５５の係止手段７４と、対応する表側の保持部５０の被係止手段を係止させた際に形成されるループ内に、対応する脚部フレームを通して保持させることにより、これらを仮固定することができる。
これにより、シート２０のフレーム体２１のうち、最も高さに影響する脚部フレーム２７だけを簡易的に折り畳んだ状態において、脚部フレーム２７がバタついて、邪魔になることがないから、移動や収納において取扱いが容易となる。
このように、シート体４０及び背もたれフレーム３１を外し、脚部フレーム２７及び足受けフレーム３０の高さを平面的にするという、分解に近いコンパクトな折り畳み形態だけでなく、脚部フレーム２７だけを折り畳むという簡易的な折り畳みも可能であり、使用者は状況によって折り畳み方法を適宜選択することができる。
【００４１】
以上説明したように、本実施形態の乳幼児用シート２０は、図２で説明したように、水平ロッド２６と背もたれフレーム３１との間にはバウンス部４１が配置されているので、設置面に載置された水平ロッド２６が動かない状態で、背もたれフレーム３１がバウンス機能を発揮する。つまり、背もたれフレーム３１に配置されるシート体４０に寝た状態で保持される乳幼児は、背もたれフレーム３１とともに弾性的に保持されている。この状態で、乳幼児が身体を動かすと、バウンス部４１の機能およびフレーム体２１の各部が変形するので、上下方向への複雑な揺動を主要素とするバウンス機能が発揮される。
そして、背もたれフレーム３１の平行部３２の下端３２ａが所定の角度θ１をなすように曲折された曲折部３１ａとされているので、背もたれフレーム３１の接続手段３６に対する接続の仕方、すなわち、接続の向きや方向を変化させることで、曲折の方向を変更し、この結果、図６のθ２の傾斜角度を変更させ、乳幼児の寝た姿勢における傾斜角度を変更することができる。
【００４２】
図１４ないし図１９は、乳幼児用シートの接続手段の変形例１ないし６の各構造を示す図である。変形例１ないし６はいずれも上記実施形態と同じ作用効果を発揮できるとともに、特に、以下のような特徴を有している。
図１４の変形例１では、コネクタの構造が変更されていて、起立ロッド２５側に設けられたコネクタ２２−１により、背もたれフレーム３１とバウンス部４１側とが接続される構成である。このため、図４で説明したような接続部は設けられていない。
すなわち、図１４では、コネクタ２２−１から、中間ロッド２８の上端部は露出ていない。また、コネクタ２２−１には、背もたれフレーム３１の平行部３２−３の下端３２ａを受容して固定するための２つの受容部４５，４６が形成されている。２つの受容部４５，４６は挿入孔であり、受容部４５は、受容部４６に対して傾斜して構成されている。また、背もたれフレーム３１の平行部３２−３の下端３２ａは、曲折部３１ａが形成されていないストレートなロッドないしフレームである。
したがって、矢印ａ，ｂで示すように、平行部３２−３の下端３２ａを挿入する際に、受容部４５と受容部４６とを選択的に使用することで、図２で示した背もたれフレーム３１の第１の傾斜位置Ｐ１と、第２の傾斜位置Ｐ２とを切り替えることができる。
【００４３】
図１５の変形例２では、コネクタ２２は図３の構造と同じである。これに対して、背もたれフレーム３１の平行部３２−４の下端３２ａは、曲折されていないストレートなロッドないしフレームであり、下端３２ａには取付け体４３が固定されている。この取付け体４３は、例えば、合成樹脂の成形体等で形成されており、中間ロッド２８の上端２８ｂを挿入固定するための受容部４４を有している。この受容部４４は、その挿入方向が取付け体４３内に固定された背もたれフレーム３１の下端３２ａに対して傾斜して構成されている。
したがって、平行部３２−４と平行部３２−５で示されているように、第１の実施の形態と同様に、使用者が起立状態Ｐ１と水平状態Ｐ２を選択し、背もたれフレーム３１の上下面を反転（図１５におけるフレーム３１の上の面と下の面を反転させる）させることで左右（図２の左右の各コネクタ参照）の受容部４４を逆転させて、取付け体４３の受容部４４に、中間ロッド２８のコネクタ２２から露出している上端２８ｂを挿入することで、図２で示した背もたれフレーム３１の第１の傾斜位置Ｐ１と、第２の傾斜位置Ｐ２とを切り替えることができる。
【００４４】
図１６の変形例３では、背もたれフレーム３１の平行部３２−６の下端３２ａは、図４で説明したのと同様に曲折されているだけでなく、先端外周に、周方向外側に突出する係合突起３２ｃを有している。これに対して、コネクタ２２−２は、中間ロッド２８を貫通させないで、内部に背もたれフレーム３１の平行部３２−６の下端３２ａを挿入固定するための受容部４９を備えている。この受容部４９は挿入孔として形成されており、孔開口の内周縁に上記係合突起３２ｃと係合する係合孔４７と、係合孔４８を備えている。この係合孔４７と、係合孔４８は、孔開口の内周の互いに対向する位置にそれぞれ配置されている。
かくして、背もたれフレーム３１の平行部３２−６の下端３２ａをコネクタ２２−２の受容部４９に挿入する際に、背もたれフレーム３１の上下面を反転させて、下端３２ａの係合突起３２ｃを係合させる係合孔４７，４８を選択的に使用することにより、図２で示した背もたれフレーム３１の第１の傾斜位置Ｐ１と、第２の傾斜位置Ｐ２とを切り替えることができる。
【００４５】
図１７の変形例４では、背もたれフレーム３１の平行部３２−８の下端３２ａは、図４で説明したのと同様に曲折されており、同じ構成である。これに対して、コネクタ２２−３は、中間ロッド２８を貫通させないで、内部に背もたれフレーム３１の平行部３２−８の下端３２ａを挿入固定するための受容部５１を備えている。この受容部５１は挿入孔として形成されている。つまり、変形例４では、コネクタの構造が変更されていて、コネクタ２２−３により、背もたれフレームと起立ロッド側とが接続される構成であり、その他の構成は図３および図４の実施形態と同じ構成である。ただし、コネクタ２２−３の内部では、受容部５１に背もたれフレーム３１の平行部３２−８の下端３２ａを挿入した状態で、軸周りの移動が規制されるように、ストッパピン２５ａ等が下端３２ａの外周に入り込むこと(図示せず)によって、回り止めがされるようになっている。
かくして、上記下端３２ａをコネクタ２２−３の受容部５１に挿入する際に背もたれフレーム３１の上下面を反転させて、背もたれフレーム３１の平行部３２−８として示す方向と、背もたれフレーム３１の平行部３２−９として示す方向に切り替えて着脱することにより、図２で示した背もたれフレーム３１の第１の傾斜位置Ｐ１と、第２の傾斜位置Ｐ２とを切り替えることができる。
図１８の変形例５は、図１７に示す変形例とほぼ同一の構成とされており、コネクタ２２−３側は同一である。異なる構造とされているのは、背もたれフレーム３１の平行部３２−１０の下端３２ａが、屈曲部３１ａよりも上側において背もたれフレーム３１の軸周りを中心に回動できるよう構成されている点である。つまり、背もたれフレーム３１本体と下端３２ａが別部材とされており、図３に示した足受けフレーム３０の突起２８ｅと同様に回動部３２ｄで回動可能に係止されている。
その為、使用者は背もたれフレーム３１について、起立状態Ｐ１の方向と水平状態Ｐ２の方向を選択して、下端３２ａを矢印Ｋで示す方向に適宜回動部３２ｄで軸周りに回動させて、コネクタ２２−３の受容部５１に挿入することにより、回動部３２ｄにおける回動が行えないよう固定されて、図２で示した背もたれフレーム３１の第１の傾斜位置Ｐ１と、第２の傾斜位置Ｐ２とを切り替えることができる。
なお、図１５で示した変形例２のように、背もたれフレーム３１に設けられた取付け体４３による着脱を行う構成として、取付け体４３を下端３２ａに対して回動可能に構成しても同様の機能を得ることができる。
【００４６】
図１９の変形例６は、図１８に示す変形例５と類似する構成とされており、コネクタ２２は上述の実施の形態とほぼ同様の構成とされて、中間ロッド２８の上端２８ｂが回動部２８ｇを中心に軸周りに回動可能とされ、その先端側に屈曲部３１ａが形成されている。そして背もたれフレーム３１の下端３２ａは屈曲部を有さない直線状の筒状体とされて、中間ロッド２８の上端２８ｂを収容可能とされている。
その為、使用者は中間ロッド２８の上端２８ｂについて、起立状態Ｐ１の方向と水平状態Ｐ２の方向を選択して、上端２８ｂを矢印Ｋで示す方向に適宜回動部２８ｇで軸周りに回動させて背もたれフレーム３１の下端部３２ａを矢印Ａ，Ｂに示すように挿入することにより、回動部３２ｄにおける回動が行えないよう固定されて、図２で示した背もたれフレーム３１の第１の傾斜位置Ｐ１と、第２の傾斜位置Ｐ２とを切り替えることができる。
【００４７】
本発明は、上述の実施形態に限定されるものではない。例えば、フレームの種類と本数は、実施形態の場合よりも多くしたり、減らしたりできるし、より短いフレームに分割できるようにしてもよい。さらに、脚部フレーム２７の起立ロッド２５と、水平ロッド２６の高さを低減するために、一定の角度で曲折された部位（図１の先端側）を、ヒンジ等により折れ曲がるように構成し、足受けフレーム３０を回動させることとあわせて、平面的に折り畳めるようにしてもよい。
また、乳幼児用シート２０のバウンス部４１を設ける箇所として、背もたれフレーム３１と水平ロッド２６とを直接的につないだ構成ではなく、水平ロッド２６と背もたれフレーム３１をヒンジ等で連結し、水平ロッド２６と背もたれフレーム３１の間にサスペンション（ダンパー）を配置すること互いになす角度を変更できるようにし、背もたれフレーム３１の傾斜角度が所定の範囲で揺動する構成としたものでも良い。
さらに、バウンス部４１が背もたれフレーム３１に接続されて、水平ロッド２６のバウンス部４１側が接地面よりも上方にてバウンス部４１に連結され、水平ロッド２６の後端側のみが接地するよう構成し、水平ロッド２６の先端側におけるバウンス部４１との連結部に板バネなどのスプリングを配置することで、水平ロッド２６の連結部が接地面に近接／離間するように変位することで、背もたれフレーム３１の傾斜角度が所定の範囲で揺動する構成としたものでも良い。
さらにまた、水平ロッド２６と背もたれフレーム３１をヒンジ等で連結し、連結部近傍における背もたれフレーム３１の下側にパイプ等の支持部を配置し、背もたれフレーム３１の連結部近傍で支持部に当接した位置が梃子状に変形することで、背もたれフレーム３１の傾斜角度が所定の範囲で揺動する構成としたものでも良い。
上述の実施形態における各構成は、必要により、その一部を省略したり、他の構成と入れ換えて、ことなる構成の組み合わせのもとで実施されてもよい。
【図面の簡単な説明】
【００４８】
【図１】本発明による乳幼児用シートの実施形態の概略斜視図である。
【図２】図１の乳幼児用シートのフレーム体を示す概略分解斜視図である。
【図３】図１の乳幼児用シートのコネクタの概略断面図である。
【図４】図２のフレーム体の背もたれフレームと中間ロッドとの接続手段の一部を示す概略斜視図である。
【図５】図２のフレーム体の背もたれフレームと中間ロッドとの接続部とコネクタとを示す説明図である。
【図６】図１の乳幼児用シートのリクライニング機能による背もたれフレームの傾斜角度の変化を示す説明図である。
【図７】図１の乳幼児用シートの折り畳み前におけるフレーム体の一部を示す概略斜視図である。
【図８】図１の乳幼児用シートの折り畳み途中におけるフレーム体の一部を示す概略斜視図である。
【図９】図１の乳幼児用シートの折り畳み後におけるフレーム体の一部を示す概略斜視図である。
【図１０】図１の乳幼児用シートの折り畳み後におけるフレーム体の全体を前方から示す概略斜視図である。
【図１１】図１の乳幼児用シートのシート体の概略正面図である。
【図１２】図１の乳幼児用シートのシート体の概略背面図である。
【図１３】図１の乳幼児用シートの折り畳まれた状態の概略底面図である。
【図１４】図１の乳幼児用シートの接続手段の変形例１を示す説明図である。
【図１５】図１の乳幼児用シートの接続手段の変形例２を示す説明図である。
【図１６】図１の乳幼児用シートの接続手段の変形例３を示す説明図である。
【図１７】図１の乳幼児用シートの接続手段の変形例４を示す説明図である。
【図１８】図１の乳幼児用シートの接続手段の変形例５を示す説明図である。
【図１９】図１の乳幼児用シートの接続手段の変形例６を示す説明図である。
【符号の説明】
【００４９】
２０・・・乳幼児用シート、２１・・・フレーム体、２２，２２・・・コネクタ、２５・・・起立ロッド、２６・・・水平ロッド、２７・・・脚部フレーム、３１・・・背もたれフレーム、３６・・・接続手段、４０・・・シート体、Ｐ１・・・第１の傾斜位置、Ｐ２・・・第２の傾斜位置。
【図１】
2005102992.tif 000003
【図２】
2005102992.tif 000004
【図３】
2005102992.tif 000005
【図４】
2005102992.tif 000006
【図５】
2005102992.tif 000007
【図６】
2005102992.tif 000008
【図７】
2005102992.tif 000009
【図８】
2005102992.tif 000010
【図９】
2005102992.tif 000011
【図１０】
2005102992.tif 000012
【図１１】
2005102992.tif 000013
【図１２】
2005102992.tif 000014
【図１３】
2005102992.tif 000015
【図１４】
2005102992.tif 000016
【図１５】
2005102992.tif 000017
【図１６】
2005102992.tif 000018
【図１７】
2005102992.tif 000019
【図１８】
2005102992.tif 000020
【図１９】
2005102992.tif 000021